(57)【要約】【課題】ＵＤＦに準拠した追記録方式で情報を記録する光ディスク記録装置において、光ディスクへの情報の書き込みに失敗しても、光ディスクから正しく情報を再生できる。【解決手段】ユーザ情報ファイル及び制御情報ファイルを構成する情報ブロックの書き込みに失敗すると（＃２でＮＯ）、その情報ブロックを再書き込みする（＃５）。ユーザ情報ファイルの及び制御情報ファイルを構成する全ての情報の書き込みが終了（すなわちユーザ情報ファイル及び制御情報ファイルを構成する情報ブロックの書き込みに成功）すると（＃３でＹＥＳ）、ファイル管理情報であるＦＥ、ＶＡＴ、及びＶＡＴＩＣＢの書き込みを行う（＃６）。ＦＥ、ＶＡＴ、及びＶＡＴＩＣＢの書き込みに失敗すると（＃７でＮＯ）、そのＦＥ、ＶＡＴ、及びＶＡＴＩＣＢを再書き込みし（＃８）、ＦＥ、ＶＡＴ、及びＶＡＴＩＣＢの書き込みに成功すると（＃７でＹＥＳ）、記録動作を終了する。【選択図】図３
2007080358.tif 000002
【特許請求の範囲】
【請求項１】
光ディスクに光を照射して情報を記録する記録手段と、前記記録手段による光ディスクへの情報の記録をＵＤＦ（Universal Disk Format）に準拠した追記録方式で制御する記録制御手段とを備え、
前記記録制御手段は、一纏まりの情報から成る情報ファイルを光ディスクに書き込むファイル書き込み手段と、情報ファイルの書き込み位置を管理するためのファイル管理情報を書き込むファイル管理情報書き込み手段とを有し、
前記ファイル書き込み手段は、ユーザが利用するユーザ情報から成るユーザ情報ファイルを書き込むときに、それに加えて、ユーザ情報ファイル内のユーザ情報を制御するための制御情報から成る制御情報ファイルを書き込み、これらユーザ情報ファイル及び制御情報ファイルを所定データ容量の情報ブロック単位に分割して書き込み、
前記ファイル管理情報書き込み手段は、ユーザ情報ファイルを新規に書き込んだときのユーザ情報ファイル及び制御情報ファイルを構成する情報ブロックの書き込み位置を示すＦＥ（File Entry）、このＦＥにより示される情報ブロックの書き込み位置とユーザ情報ファイル内のユーザ情報を更新するために追記して書き込んだ情報ブロックの書き込み位置との対応関係を示すＶＡＴ（Virtual allocation Table）、及びＶＡＴの書き込み位置を示すＶＡＴＩＣＢ（Virtual allocation Table Information Control Block）を書き込む光ディスク記録装置において、
前記ファイル書き込み手段は、
ユーザ情報ファイル及び制御情報ファイルを構成する情報ブロックの書き込みに失敗すると、その情報ブロックをＥＣＣ（Error Correcting Code）境界の直後の位置から再書き込みし、その情報ブロックの書き込みに成功するまで、この再書き込みを繰り返し、
前記ファイル管理情報書き込み手段は、
前記ファイル書き込み手段によるユーザ情報ファイルの全てのユーザ情報及び制御情報ファイルの全ての制御情報の書き込みに成功した後に、ＦＥ、ＶＡＴ、及びＶＡＴＩＣＢの書き込みを行い、
ＦＥ、ＶＡＴ、及びＶＡＴＩＣＢの書き込みに失敗すると、そのＦＥ、ＶＡＴ、及びＶＡＴＩＣＢをＥＣＣ境界の直後の位置から再書き込みし、そのＦＥ、ＶＡＴ、及びＶＡＴＩＣＢの書き込みに成功するまで、この再書き込みを繰り返すことを特徴とする光ディスク記録装置。
【請求項２】
光ディスクに光を照射して情報を記録する記録手段と、前記記録手段による光ディスクへの情報の記録をＵＤＦ（Universal Disk Format）に準拠した追記録方式で制御する記録制御手段とを備え、
前記記録制御手段は、一纏まりの情報から成る情報ファイルを光ディスクに書き込むファイル書き込み手段と、情報ファイルの書き込み位置を管理するためのファイル管理情報を書き込むファイル管理情報書き込み手段とを有する光ディスク記録装置において、
前記ファイル書き込み手段は、情報ファイルを構成する情報の書き込みに失敗すると、その情報を含む所定データ容量の情報ブロック又は情報ファイルを別の位置に再書き込みし、
前記ファイル管理情報書き込み手段は、前記ファイル書き込み手段による情報ブロック又は情報ファイルの再書き込みを反映して、ファイル管理情報を書き込むことを特徴とする光ディスク記録装置。
【請求項３】
前記ファイル管理情報書き込み手段は、ファイル管理情報の書き込みに失敗すると、そのファイル管理情報を別の位置に再書き込みすることを特徴とする請求項２に記載の光ディスク記録装置。
【発明の詳細な説明】
【技術分野】
【０００１】
本発明は、例えばＤＶＤ等の光ディスクに対して情報を記録する光ディスク記録装置に関するものである。
【背景技術】
【０００２】
従来より、光ディスク記録装置において、ＤＶＤ−Ｒ等の追記型光ディスクに対して、ＵＤＦ（Universal Disk Format）に準拠した追記録方式で映像や音声等の情報を記録するものがある。このような光ディスク記録装置では、ユーザが利用する映像や音声等のユーザ情報から成るユーザ情報ファイル、及びユーザ情報ファイル内のユーザ情報を制御するための制御情報から成る制御情報ファイルを、所定データ容量の情報ブロック単位に分割して光ディスクに書き込むと共に、これらユーザ情報ファイルや制御情報ファイルを構成する各情報ブロックの位置を管理するためのファイル管理情報を光ディスクに書き込むようになっている。
【０００３】
光ディスクからのユーザ情報の再生は、ファイル管理情報に基づいてユーザ情報ファイル及び制御情報ファイルを構成する各情報ブロックの書き込み位置を特定し、それら各情報ブロック内のユーザ情報及び制御情報を読取って、制御情報を基にユーザ情報を処理することにより行われる。
【０００４】
一方、書き換え（上書き）可能な光ディスクであるＣＤ−ＲＷに対してＵＤＦに準拠した記録方式で情報を記録する光ディスク記録装置において、光ディスクに記録したファイル管理情報の記録エラーの有無を確認し、ファイル管理情報に記録エラーがあった場合に、記録パワーを高く設定して、書き換え（上書き）により、ユーザ情報ファイルとファイル管理情報を光ディスクに記録し直すようにしたものが知られている（例えば特許文献１参照）。
【０００５】
また、光ディスクに情報を記録する際に光ヘッドのサーボ信号を検出し、光ヘッドのサーボ信号が規定値を外れていると記録速度を低下させることにより、記録エラーを生じないようにした光ディスク記録装置が知られている（例えば特許文献２参照）。また、光ディスクへの記録エラーの発生有無を確認し、記録エラーの発生回数が基準値を超えると記録速度を低下させることにより、記録品質を向上するようにした光ディスク記録装置が知られている（例えば特許文献３参照）。
【特許文献１】特開２００３−２７２１４８号公報
【特許文献２】特開２００４−３１９０２３号公報
【特許文献３】特開２００３−３１７２５５号公報
【発明の開示】
【発明が解決しようとする課題】
【０００６】
ところで、ユーザ情報ファイルや制御情報ファイルを構成する情報ブロックを光ディスクに書き込むときに、それらの情報ブロック内のユーザ情報や制御情報の書き込みに失敗すると（書き込みエラーが発生すると）、それらの情報は、再生動作時に正しく読取ることができない。つまり、ユーザ情報ファイルを構成する情報ブロック内のユーザ情報の書き込みに失敗した場合には、その書き込みに失敗した部分に対応する映像や音声等のユーザ情報を正しく再生できなくなる。また、制御情報ファイルを構成する情報ブロック内の制御情報の書き込みに失敗した場合には、制御情報がユーザ情報ファイルを構成する全ての情報ブロック内のユーザ情報の制御に影響を及ぼすことにより、ユーザ情報ファイルの全てのユーザ情報を正しく再生できなくなる。
【０００７】
ところが、上述した従来のＵＤＦに準拠した追記録方式で情報を記録する光ディスク記録装置においては、情報ブロック内の情報の書き込みの失敗に対して、何等対策が施されていない。そこで、情報ブロック内の情報の書き込みに成功した否かを確認して、情報ブロック内の情報の書き込みに失敗した場合には、その情報を含む情報ブロックを書き直すことが考えられる。
【０００８】
ＵＤＦに準拠した追記録方式で情報を記録する光ディスク記録装置では、追記型の光ディスクを扱うため、情報ブロックを光ディスクの同じ位置に書き直すことはできず、従って、情報ブロックを書き直すには、その情報ブロックを光ディスクの別の位置に追記して再書き込みしなければならない。しかしながら、情報ブロックを単に光ディスクの別の位置に再書き込みして書き直したのでは、その再書き込みした情報ブロックの書き込み位置がファイル管理情報により管理されないため、光ディスクからユーザ情報ファイルのユーザ情報を再生するときに、再書き込みした情報ブロックの位置を特定することができず、ユーザ情報を正しく再生することができない。なお、上述した特許文献１乃至特許文献３に開示の内容を適用したとしても、上記の課題を解決することはできない。
【０００９】
本発明は、上記課題を解決するためになされたものであり、ＵＤＦに準拠した追記録方式で情報を記録する光ディスク記録装置において、光ディスクへの情報の書き込みに失敗したことによって光ディスクから情報が再生できなくなることを防止できる光ディスク記録装置を提供することを目的とする。
【課題を解決するための手段】
【００１０】
上記目的を達成するために請求項１の発明は、光ディスクに光を照射して情報を記録する記録手段と、記録手段による光ディスクへの情報の記録をＵＤＦ（Universal Disk Format）に準拠した追記録方式で制御する記録制御手段とを備え、記録制御手段は、一纏まりの情報から成る情報ファイルを光ディスクに書き込むファイル書き込み手段と、情報ファイルの書き込み位置を管理するためのファイル管理情報を書き込むファイル管理情報書き込み手段とを有し、ファイル書き込み手段は、ユーザが利用するユーザ情報から成るユーザ情報ファイルを書き込むときに、それに加えて、ユーザ情報ファイル内のユーザ情報を制御するための制御情報から成る制御情報ファイルを書き込み、これらユーザ情報ファイル及び制御情報ファイルを所定データ容量の情報ブロック単位に分割して書き込み、ファイル管理情報書き込み手段は、ユーザ情報ファイルを新規に書き込んだときのユーザ情報ファイル及び制御情報ファイルを構成する情報ブロックの書き込み位置を示すＦＥ（File Entry）、このＦＥにより示される情報ブロックの書き込み位置とユーザ情報ファイル内のユーザ情報を更新するために追記して書き込んだ情報ブロックの書き込み位置との対応関係を示すＶＡＴ（Virtual allocation Table）、及びＶＡＴの書き込み位置を示すＶＡＴＩＣＢ（Virtual allocation Table Information Control Block）を書き込む光ディスク記録装置において、ファイル書き込み手段は、ユーザ情報ファイル及び制御情報ファイルを構成する情報ブロックの書き込みに失敗すると、その情報ブロックをＥＣＣ（Error Correcting Code）境界の直後の位置から再書き込みし、その情報ブロックの書き込みに成功するまで、この再書き込みを繰り返し、ファイル管理情報書き込み手段は、ファイル書き込み手段によるユーザ情報ファイルの全てのユーザ情報及び制御情報ファイルの全ての制御情報の書き込みに成功した後に、ＦＥ、ＶＡＴ、及びＶＡＴＩＣＢの書き込みを行い、ＦＥ、ＶＡＴ、及びＶＡＴＩＣＢの書き込みに失敗すると、そのＦＥ、ＶＡＴ、及びＶＡＴＩＣＢをＥＣＣ境界の直後の位置から再書き込みし、そのＦＥ、ＶＡＴ、及びＶＡＴＩＣＢの書き込みに成功するまで、この再書き込みを繰り返すものである。
【００１１】
請求項２の発明は、光ディスクに光を照射して情報を記録する記録手段と、記録手段による光ディスクへの情報の記録をＵＤＦ（Universal Disk Format）に準拠した追記録方式で制御する記録制御手段とを備え、記録制御手段は、一纏まりの情報から成る情報ファイルを光ディスクに書き込むファイル書き込み手段と、情報ファイルの書き込み位置を管理するためのファイル管理情報を書き込むファイル管理情報書き込み手段とを有する光ディスク記録装置において、ファイル書き込み手段は、情報ファイルを構成する情報の書き込みに失敗すると、その情報を含む所定データ容量の情報ブロック又は情報ファイルを別の位置に再書き込みし、ファイル管理情報書き込み手段は、ファイル書き込み手段による情報ブロック又は情報ファイルの再書き込みを反映して、ファイル管理情報を書き込むものである。
【００１２】
請求項３の発明は、請求項２に記載の光ディスク記録装置において、ファイル管理情報書き込み手段は、ファイル管理情報の書き込みに失敗すると、そのファイル管理情報を別の位置に再書き込みするものである。
【発明の効果】
【００１３】
請求項１の発明によれば、ユーザ情報ファイル又は制御情報ファイルを構成する情報ブロックの光ディスクへの書き込みに失敗があると、その情報ブロックがＥＣＣ境界の直後の位置から再書き込みされ、この再書き込みの後に、この再書き込み位置を反映したファイル管理情報であるＦＥ、ＶＡＴ、及びＶＡＴＩＣＢが光ディスクに書き込まれる。これにより、情報ブロックの書き込みに失敗があった光ディスクからユーザ情報ファイルのユーザ情報を再生する場合には、書き込みに失敗した情報ブロックの再書き込み位置を反映したＦＥ、ＶＡＴ、及びＶＡＴＩＣＢに基づいて、再書き込みされた情報ブロックによりユーザ情報ファイルのユーザ情報が再生される。従って、ユーザ情報ファイル又は制御情報ファイルを構成する情報ブロックの光ディスクへの書き込みに失敗があった場合でも、光ディスクからユーザ情報ファイルのユーザ情報を再生することができる。しかも、情報ブロックの再書き込みは、その情報ブロックの書き込みに成功するまで繰り返され、ＦＥ、ＶＡＴ、及びＶＡＴＩＣＢは、ユーザ情報ファイルの全てのユーザ情報及び制御情報ファイルの全ての制御情報の書き込みに成功した後に書き込まれるため、より確実にユーザ情報ファイルのユーザ情報を再生することができる。
【００１４】
また、ＦＥ、ＶＡＴ、又はＶＡＴＩＣＢの光ディスクへの書き込みに失敗があると、そのＦＥ、ＶＡＴ、又はＶＡＴＩＣＢがＥＣＣ境界の直後の位置から再書き込みされる。これにより、ＦＥ、ＶＡＴ、又はＶＡＴＩＣＢの書き込みに失敗があった光ディスクからユーザ情報ファイルの情報を再生する場合には、再書き込みされたＦＥ、ＶＡＴ、又はＶＡＴＩＣＢに基づいてユーザ情報ファイルの情報が再生される。従って、ＦＥ、ＶＡＴ、又はＶＡＴＩＣＢの光ディスクへの書き込みに失敗があった場合でも、光ディスクからユーザ情報ファイルの情報を再生することができる。しかも、ＦＥ、ＶＡＴ、又はＶＡＴＩＣＢの再書き込みは、そのＦＥ、ＶＡＴ、又はＶＡＴＩＣＢの書き込みに成功するまで繰り返されるため、より確実にユーザ情報ファイルの情報を再生することができる。
【００１５】
請求項２の発明によれば、情報ファイルの情報の光ディスクへの書き込みに失敗があると、その情報が光ディスクの別の位置に再書き込みされ、この再書き込み位置を反映したファイル管理情報が光ディスクに書き込まれる。これにより、情報ファイルの情報の書き込みに失敗があった光ディスクから情報ファイルの情報を再生する場合には、書き込みに失敗した情報の再書き込み位置を反映したファイル管理情報に基づいて、再書き込みされた情報により情報ファイルの情報が再生される。従って、情報ファイルの情報の光ディスクへの書き込みに失敗があった場合でも、光ディスクから情報ファイルの情報を再生することができる。
【００１６】
請求項３の発明によれば、ファイル管理情報の光ディスクへの書き込みに失敗があると、そのファイル管理情報が光ディスクの別の位置に再書き込みされる。これにより、ファイル管理情報の書き込みに失敗があった光ディスクから情報ファイルの情報を再生する場合には、再書き込みされたファイル管理情報に基づいて情報ファイルの情報が再生される。従って、ファイル管理情報の光ディスクへの書き込みに失敗があった場合でも、光ディスクから情報ファイルの情報を再生することができる。
【発明を実施するための最良の形態】
【００１７】
以下、本発明を具体化した実施形態による光ディスク記録装置について図面を参照して説明する。図１は、光ディスク記録装置の構成を示す。光ディスク記録装置１は、ＤＶＤ−Ｒ等の追記型の光ディスク２に対して、ＵＤＦ（Universal Disk Format）に準拠した追記録方式で映像や音声等の情報を記録及び／又は再生する装置である。
【００１８】
光ディスク記録装置１は、光ディスク記録装置１を制御するためのＣＰＵ等からなる制御部（記録制御手段）１１と、ディスクセンサ１２と、スピンドルモータ１３と、シークモータ１４と、レーザ駆動部１５と、光ヘッド（記録手段）１６と、記録信号処理部１７と、読取信号処理部１８と、放送信号処理部１９と、ＡＶ信号処理部２０と、信号出力部２１と、メモリ２２と、リモコン２３と、リモコン受信部２４とを備える。
【００１９】
ディスクセンサ１２は、光ディスク２がディスク挿入部（不図示）から挿入されたことを検出し、その信号を制御部１１へ入力する。ディスク挿入部に挿入された光ディスク２は、スピンドルモータ１３に装着される。スピンドルモータ１３は、制御部１１による制御のもと回転駆動されて、装着された光ディスク２を回転させる。シークモータ１４は、リニアモータから成り、制御部１１による制御のもと、光ヘッド１６を光ディスク２の半径方向に移動（シーク動作）させる。レーザ駆動部１５は、制御部１１による制御のもと、光ヘッド１６から出射するレーザ光のパワー及び発光タイミングを制御する。
【００２０】
光ヘッド１６は、光ディスク２にレーザ光を照射して、光ディスク２に周囲よりも反射率の低い記録マークを形成することにより、光ディスク２に情報を記録する。また、光ヘッド１６は、光ディスク２にレーザ光を照射して、光ディスク２からの反射光を受光し、その反射光強度に応じた電圧レベルの読取信号を出力することにより、光ディスク２に記録されている情報を読取る。光ディスク２から情報を読取るためのレーザ光のパワーは、光ディスク２に情報を記録するためのパワーよりも弱められ、光ディスク２に記録マークが形成されないパワーとされる。
【００２１】
記録信号処理部１７は、制御部１１による制御のもと、光ディスク２に情報を記録するための記録信号を変調処理して、変調記録信号を生成する。読取信号処理部１８は、光ディスク２から読取った読取信号を波形等化、復調、エラー訂正処理して、光ディスク２に記録されている記録信号を再生する。
【００２２】
放送信号処理部１９は、制御部１１による制御のもと、放送局から配信されるテレビ放送信号をアンテナ１９ａを介して受信し、テレビ放送信号を復調処理して、テレビ放送信号に含まれる映像信号及び音声信号を再生する。ＡＶ信号処理部２０は、制御部１１による制御のもと、放送信号処理部１９により再生された映像信号及び音声信号を符号化処理して、光ディスク２に情報を記録するための記録信号を生成する。また、ＡＶ信号処理部２０は、制御部１１による制御のもと、読取信号処理部１８により再生された記録信号を復号処理して、映像信号及び音声信号を再生する。信号出力部２１は、放送信号処理部１９により再生された映像信号及び音声信号、ＡＶ信号処理部２０により再生された映像信号及び音声信号を信号出力端子２１ａを介して不図示のディスプレイ及びスピーカに出力する。
【００２３】
メモリ２２は、制御部１１による制御のもと、光ディスク２に情報を記録する際に、ＡＶ信号処理部２０により生成された記録信号、及び記録信号処理部１７により生成された変調記録信号を一時的に保存し、光ディスク２から情報を再生する際に、読取信号処理部１８により再生された記録信号を一時的に保存する。
【００２４】
リモコン２３は、テレビ放送信号の受信チャンネルの選択、テレビ放送信号により配信される映像・音声の光ディスク２への記録、光ディスク２に記録されている映像・音声の再生等、光ディスク記録装置１の各種動作を指示するためにユーザにより操作される。リモコン２３は、光ディスク記録装置１の各種動作を指示するためにユーザに操作される各種操作キーを備えており、各種操作キーが操作されることにより、その操作に対応付けられた赤外線信号を送出する。リモコン受信部２４は、リモコン２３から送出される赤外線信号を受信して電気信号に変換し、リモコン２３の操作に対応する信号を制御部１１へ出力する。
【００２５】
制御部１１は、リモコン受信部２４からの出力信号を基にリモコン２３の操作による指示内容を判断すると共に、ディスクセンサ１２からの検出出力を基に光ディスク２の挿入有無を判断する。そして、制御部１１は、それらリモコン２３の操作による指示内容及び光ディスク２の挿入有無に基づいて、テレビ放送信号に含まれる映像や音声等の情報を、ユーザが利用することのできるユーザ情報として光ディスク２に記録する記録動作を制御し、また、光ディスク２にユーザ情報として記録された映像や音声等の情報を再生する再生動作を制御する。また、制御部１１は、光ディスク記録再生装置１の各種動作を制御する。
【００２６】
テレビ放送信号に含まれる映像や音声等の情報の光ディスク２への記録は、放送信号処理部１９から得られるテレビ放送信号に含まれる映像信号及び音声信号を基にＡＶ信号処理部２０で記録信号を生成し、その記録信号を基に記録信号処理部１９で変調記録信号を生成し、光ヘッド１６により、その変調記録信号に対応する長さ及び配列で光ディスク２にピットを形成することにより行われる。また、光ディスク２に記録された映像や音声の情報の再生は、光ヘッド１６から得られる読取信号を基に読取信号処理部１８で記録信号を再生し、その記録信号を基にＡＶ信号処理部２０で映像信号及び音声信号を再生し、その映像信号及び音声信号を信号出力部２１からディスプレイ及びスピーカに出力することにより行われる。
【００２７】
制御部１１は、光ディスク２への情報の記録／再生をＵＤＦに準拠した追記録方式で制御する。すなわち、テレビ放送信号に含まれる映像や音声等の情報の光ディスク２への記録は、テレビ放送信号に含まれる一連の映像や音声等の情報を一纏まりのユーザ情報から成るユーザ情報ファイルとして光ディスク２に書き込むと共に、ユーザ情報ファイル内のユーザ情報（一連の映像及び音声）を制御するための制御情報から成る制御情報ファイルを光ディスク２に書き込み、また、これらユーザ情報ファイル及び制御情報ファイルの書き込み位置を管理するためのファイル管理情報を光ディスク２に書き込むことにより行われる。
【００２８】
このとき、ユーザ情報ファイル及び制御情報ファイルは、所定データ容量の情報ブロック単位に分割して光ディスク２の未記録領域に書き込まれ、また、ファイル管理情報としてＦＥ（File Entry）、ＶＡＴ（Virtual allocation Table）、ＶＡＴＩＣＢ（Virtual allocation Table Information Control Block）が光ディスク２の未記録領域に書き込まれる。
【００２９】
ＦＥは、ユーザ情報ファイルを新規に光ディスク２に書き込んだときのユーザ情報ファイル及び制御情報ファイルを構成する情報ブロックの書き込み位置を指し示す情報である。ＶＡＴは、ＦＥにより示される（すなわちユーザ情報ファイルを新規に書き込んだときの）情報ブロックの書き込み位置とユーザ情報ファイル内のユーザ情報を更新するために追記して書き込んだ情報ブロックの書き込み位置との対応関係を示す情報である。ＶＡＴＩＣＢは、ＶＡＴの書き込み位置を指し示す情報であり、記録済み領域の最後の位置に書き込まれる。
【００３０】
また、光ディスク２に既に書き込まれているユーザ情報ファイルの更新は、ユーザ情報更新用の情報ブロックを光ディスク２の未記録領域に追記すると共に、内容を更新したＶＡＴを光ディスク２の未記録領域に追記し、さらに、内容を更新したＶＡＴＩＣＢを光ディスク２の未記録領域に追記することにより行われる。
【００３１】
また、光ディスク２に書き込まれているユーザ情報ファイル（一連の映像及び音声）の再生は、光ディスク２に書き込まれているＦＥ、ＶＡＴ、ＶＡＴＩＣＢに基づいてユーザ情報ファイル及び制御情報ファイルを構成する各情報ブロックの書き込み位置を特定し、それら各情報ブロック内のユーザ情報及び制御情報に基づいて行われる。
【００３２】
図２（ａ）は、テレビ放送信号に含まれる映像や音声等の情報を光ディスク２に新規に記録した（すなわちユーザ情報ファイルを光ディスク２に新規に書き込んだ）場合の、ユーザ情報ファイル、制御情報ファイル、及びファイル管理情報の光ディスク２への書き込み例を示す。図２（ａ）に示す例では、リードイン領域４０に続く位置に、ユーザ情報ファイル５０を構成する情報ブロック５１、５２、・・・５９、制御情報ファイル６０を構成する情報ブロック６１、及びファイル管理情報７０を構成するＦＥ７１、ＶＡＴ７２、ＶＡＴＩＣＢ７３が書き込まれている。
【００３３】
情報ブロック５１、５２、・・・５９は、各々、テレビ放送信号に含まれる映像や音声等のユーザ情報から成っている。情報ブロック６１は、情報ブロック５１、５２、・・・５９内のユーザ情報を制御するための制御情報から成っている。ＦＥ７１は、情報ブロック５１、５２、・・・５９、及び情報ブロック６１の書き込み位置を指し示している。ＶＡＴ７２は、情報ブロック５１、５２、・・・５９、及び情報ブロック６１の書き込み位置を指し示している（図２（ａ）に示す例では、ユーザ情報を更新するために追記して書き込んだ情報ブロックが存在しないため、情報ブロック５１、５２、・・・５９、情報ブロック６１の書き込み位置を指し示している）。ＶＡＴＩＣＢ７３は、ＶＡＴ７２の書き込み位置を指し示している。リードイン領域４０には、ＦＥ７１の書き込み位置が書き込まれている。
【００３４】
図２（ａ）に示す例では、リードイン領域４０を読取ることにより、ＦＥ７１の書き込み位置が特定され、ＶＡＴＩＣＢ７３（記録済み領域の最後の位置）を読取ることにより、ＶＡＴ７２の書き込み位置が特定される。そして、ＦＥ７１及びＶＡＴ７２を読取ることにより情報ブロック５１、５２、・・・５９、及び情報ブロック６１の書き込み位置が特定され、それら情報ブロック５１、５２、・・・５９、及び情報ブロック６１を読取って処理することにより、情報ブロック５１、５２、・・・５９内のユーザ情報がユーザ情報ファイル５０を構成するユーザ情報として再生される。
【００３５】
図２（ｂ）は、光ディスク２に書き込まれているユーザ情報ファイル内のユーザ情報を更新した場合の、ユーザ情報ファイル、制御情報ファイル、及びファイル管理情報の光ディスク２への書き込み例を示す。図２（ｂ）に示す例では、ＶＡＴＩＣＢ７３の記録位置に続く位置に、情報ブロック５２ａ、ＶＡＴ７２ａ、ＶＡＴＩＣＢ７３ａが書き込まれている。
【００３６】
情報ブロック５２ａは、情報ブロック５２の内容を更新するために追記されたものである。ＶＡＴ７２ａは、情報ブロック５２ａの追記に対応してＶＡＴ７２を更新するために追記されたものであり、情報ブロック５２の書き込み位置と情報ブロック５２ａの書き込み位置との対応関係（すなわち情報ブロック５２を情報ブロック５２ａに置き換えること）を示している。ＶＡＴＩＣＢ７３ａは、ＶＡＴ７２ａの追記に対応してＶＡＴＩＣＢ７３を更新するために追記されたものであり、ＶＡＴ７２ａの書き込み位置を指し示している。
【００３７】
図２（ｂ）に示す例では、リードイン領域４０を読取ることにより、ＦＥ７１の書き込み位置が特定され、ＶＡＴＩＣＢ７３ａ（記録済み領域の最後の位置）を読取ることにより、ＶＡＴ７２ａの書き込み位置が特定される。そして、ＦＥ７１及びＶＡＴ７２ａを読取ることにより情報ブロック５１、５２ａ、・・・５９、及び情報ブロック６１の書き込み位置が特定され、それら情報ブロック５１、５２ａ、・・・５９、及び情報ブロック６１を読取って処理することにより、情報ブロック５１、５２ａ、・・・５９内のユーザ情報がユーザ情報ファイル５０を構成するユーザ情報として再生される。
【００３８】
図３は、上記光ディスク記録装置１のテレビ放送信号に含まれる映像や音声等の情報を光ディスク２に新規に記録する（すなわちユーザ情報ファイルを光ディスク２に新規に書き込む）場合の記録動作のフローチャートを示す。まず、制御部１１は、情報ファイルの最初の情報ブロックを光ディスク２に書き込む（＃１）。そして、情報ブロックの書き込みに成功すると（＃２でＹＥＳ）、制御部１１は、情報ファイルの全ての情報の書き込みが終了したか否かを判断し（＃３）、情報ファイルの全ての情報の書き込みが終了していなければ（＃３でＮＯ）、情報ファイルの次の情報ブロックを書き込んで（＃４）、上記＃２以降の処理を繰り返す。これにより、情報ファイルが情報ブロック単位で光ディスク２に書き込まれてゆく。
【００３９】
そして、情報ファイルが情報ブロック単位で光ディスク２に書き込まれてゆく途中、上記＃２の処理で情報ブロックの書き込みに失敗すると（＃２でＮＯ）、制御部１１は、その情報ブロックをＥＣＣ（Error Correcting Code）境界の直後のセクタから再書き込みする（＃５）。この＃５の処理の再書き込みは、その情報ブロックの書き込みに成功するまで繰り返される。従って、先の情報ブロックの書き込みに成功した後に、次の情報ブロックの書き込みが行われる。＃１〜＃５の処理によりファイル書き込み手段が構成されている。
【００４０】
情報ファイルの全ての情報の書き込みが終了すると（＃３でＹＥＳ）、制御部１１は、ファイル管理情報であるＦＥ、ＶＡＴ、及びＶＡＴＩＣＢを書き込む（＃６）。すなわち、ＦＥ、ＶＡＴ、及びＶＡＴＩＣＢの書き込みは、情報ファイルの全ての情報ブロックの書き込みに成功した後に行われる。そして、ＦＥ、ＶＡＴ、及びＶＡＴＩＣＢの書き込みに成功すると（＃７でＹＥＳ）、制御部１１は、記録動作を終了する。
【００４１】
また、ＦＥ、ＶＡＴ、及びＶＡＴＩＣＢの書き込みに失敗すると（＃７でＮＯ）、制御部１１は、そのＦＥ、ＶＡＴ、及びＶＡＴＩＣＢをＥＣＣ境界の直後のセクタから再書き込みする（＃８）。この＃８の処理の再書き込みは、そのＦＥ、ＶＡＴ、及びＶＡＴＩＣＢの書き込みに成功するまで繰り返され、そのＦＥ、ＶＡＴ、及びＶＡＴＩＣＢの書き込みに成功すると（＃７でＹＥＳ）、制御部１１は、記録動作を終了する。＃６〜＃８の処理によりファイル管理情報書き込み手段が構成されている。
【００４２】
図４（ａ）（ｂ）（ｃ）（ｄ）は、上記記録動作によるユーザ情報ファイル、制御情報ファイル、及びファイル管理情報の書き込み過程の例を示す。上記記録動作によれば、まず、図４（ａ）に示すように、ユーザ情報ファイル５０を構成する情報ブロック５１、５２が書き込まれてゆく。ここで、例えば情報ブロック５２の書き込みに失敗すると、情報ブロック５２の記録位置に続く位置に、情報ブロック５２の書き込みに失敗しなかった場合の本来のユーザ情報から成る情報ブロック５２ｚが再書き込みされる。
【００４３】
その後、図４（ｂ）に示すように、制御情報ファイル６０を構成する情報ブロック６１まで書き込まれ、例えば情報ブロック６１の書き込みに失敗すると、情報ブロック６１の記録位置に続く位置に、情報ブロック６１の書き込みに失敗しなかった場合の本来の制御情報から成る情報ブロック６１ｚが再書き込みされる。
【００４４】
そして、図４（ｃ）に示すように、ＦＥ７１が書き込まれる。このＦＥ７１は、情報ブロック５２ｚの再書き込み、及び情報ブロック６１ｚの再書き込みを反映しており、情報ブロック５１、５２ｚ、・・・、５９、６１ｚの書き込み位置を指し示している。ここで、例えばＦＥ７１の書き込みに失敗すると、ＦＥ７１の記録位置に続く位置に、ＦＥ７１の書き込みに失敗しなかった場合の本来の情報ブロック５１、５２ｚ、・・・、５９、６１ｚの書き込み位置を指し示すＦＥ７１ｚが再書き込みされる。
【００４５】
その後、図４（ｄ）に示すように、ＶＡＴ７２及びＶＡＴＩＣＢ７３が書き込まれて、記録動作が終了する。なお、何れの情報ブロック及びファイル管理情報の書き込みにも失敗しなかった場合には、ユーザ情報ファイル、制御情報ファイル、及びファイル管理情報は、上記図２（ａ）に示すように書き込まれる。
【００４６】
このような構成の光ディスク記録装置１によれば、ユーザ情報ファイル又は制御情報ファイルを構成する情報ブロックの光ディスク２への書き込みに失敗があると、その情報ブロックがＥＣＣ境界の直後の位置から再書き込みされ、この再書き込みの後に、この再書き込み位置を反映したファイル管理情報であるＦＥ、ＶＡＴ、及びＶＡＴＩＣＢが光ディスク２に書き込まれる。これにより、情報ブロックの書き込みに失敗があった光ディスク２からユーザ情報ファイルのユーザ情報を再生する場合には、書き込みに失敗した情報ブロックの再書き込み位置を反映したＦＥ、ＶＡＴ、及びＶＡＴＩＣＢに基づいて、再書き込みされた情報ブロックによりユーザ情報ファイルのユーザ情報が再生される。
【００４７】
従って、ユーザ情報ファイル又は制御情報ファイルを構成する情報ブロックの光ディスク２への書き込みに失敗があった場合でも、光ディスク２からユーザ情報ファイルのユーザ情報を再生することができる。しかも、情報ブロックの再書き込みは、その情報ブロックの書き込みに成功するまで繰り返され、ＦＥ、ＶＡＴ、及びＶＡＴＩＣＢは、ユーザ情報ファイルの全てのユーザ情報及び制御情報ファイルの全ての制御情報の書き込みに成功した後に書き込まれるため、より確実にユーザ情報ファイルのユーザ情報を再生することができる。
【００４８】
また、ＦＥ、ＶＡＴ、又はＶＡＴＩＣＢの光ディスク２への書き込みに失敗があると、そのＦＥ、ＶＡＴ、又はＶＡＴＩＣＢがＥＣＣ境界の直後の位置から再書き込みされる。これにより、ＦＥ、ＶＡＴ、又はＶＡＴＩＣＢの書き込みに失敗があった光ディスク２からユーザ情報ファイルの情報を再生する場合には、再書き込みされたＦＥ、ＶＡＴ、又はＶＡＴＩＣＢに基づいてユーザ情報ファイルの情報が再生される。
【００４９】
従って、ＦＥ、ＶＡＴ、又はＶＡＴＩＣＢの光ディスク２への書き込みに失敗があった場合でも、光ディスク２からユーザ情報ファイルの情報を再生することができる。しかも、ＦＥ、ＶＡＴ、又はＶＡＴＩＣＢの再書き込みは、そのＦＥ、ＶＡＴ、又はＶＡＴＩＣＢの書き込みに成功するまで繰り返されるため、より確実にユーザ情報ファイルの情報を再生することができる。
【００５０】
なお、本発明は、上記実施形態の構成に限られず、種々の変形が可能である。例えば、光ディスク２は、ＤＶＤ−Ｒに限られず、ＵＤＦに準拠した追記録方式が適用可能であれば、他の記録媒体であってもよい。また、光ディスク２に記録するユーザ情報は、映像や音声等の情報に限られず、音楽や文書等の情報であってもよい。
【図面の簡単な説明】
【００５１】
【図１】本発明の一実施形態に係る光ディスク記録装置の概略構成を示す電気的ブロック構成図。
【図２】同光ディスク記録装置の光ディスクへのユーザ情報ファイル、制御情報ファイル、及びファイル管理情報の書き込み状態の例を示す図であり、（ａ）はユーザ情報ファイルを新規に書き込んだ場合のユーザ情報ファイル、制御情報ファイル、及びファイル管理情報の書き込み状態を示す図、（ｂ）は既に書き込まれているユーザ情報ファイルを更新した場合のユーザ情報ファイル、制御情報ファイル、及びファイル管理情報の書き込み状態を示す図。
【図３】同光ディスク記録装置のユーザ情報ファイルの書き込むときの情報記録動作を示すフローチャート。
【図４】同光ディスク記録装置の情報記録動作による光ディスクへのユーザ情報ファイル、制御情報ファイル、及びファイル管理情報の書き込み過程の例を示す図であり、（ａ）はユーザ情報を構成する情報ブロックの再書き込み状態を示す図、（ｂ）は制御情報ファイルを構成する情報ブロックの再書き込み状態を示す図、（ｃ）はファイル管理情報を構成するＦＥの再書き込み状態を示す図、（ｄ）はユーザ情報ファイル、制御情報ファイル、及びファイル管理情報の書き込みを完了した状態を示す図。
【符号の説明】
【００５２】
１    光ディスク記録装置
２    光ディスク
１１    制御部（記録制御手段）
１２    ディスクセンサ
１３    スピンドルモータ
１４    シークモータ
１５    レーザ駆動部
１６    光ヘッド（記録手段）
１７    記録信号処理部
１８    読取信号処理部
１９    放送信号受信部
２０    ＡＶ信号処理部
２１    信号出力部
２２    メモリ
２３    リモコン
２４    リモコン受信部
【図１】
2007080358.tif 000003
【図２】
2007080358.tif 000004
【図３】
2007080358.tif 000005
【図４】
2007080358.tif 000006